(57)【要約】【解決手段】プラグコネクタ（２２）及び導電性のケージ（２０）を含むアセンブリ。プラグコネクタは、ハウジング（４４）と、ハウジング（４４）から延在する突起（６６）と、ハウジング（４４）内に取り付けられたパドルカード（６０）と、を含む。ケージ（２０）は、内側領域を形成するケージハウジング（２６）と、キー溝（６８）を形成する少なくとも１つのキャップ（６４）と、を含む。プラグコネクタ（２２）のハウジング（４４）は、ケージ（２０）の内側領域（３６）内に受容されており、プラグコネクタ（２２）の突出部（６６）は、ケージ（２０）のキー溝（６８）内に受容されている。ケージ（２０）は、導電性のベゼル（１２２）と係着する複数のバネフィンガを含み得る。ケージ（２０）は、プラグコネクタ（２２）のＥＭＩシールドを提供する。【選択図】図１
2021503162.tif 000002
【特許請求の範囲】
【請求項１】
コネクタであって、
プラグコネクタであって、該プラグコネクタが、ハウジングと、該ハウジングから延在する突起と、前記ハウジング内に取り付けられたパドルカードと、を含む、プラグコネクタと、
該プラグコネクタが挿入され得る導電性のケージであって、該ケージが、前記プラグコネクタが挿通される嵌合端部と、反対側の端部と、を有し、前記ケージが、ケージハウジング及びキャップを含む、導電性のケージと、を備え、
前記ケージハウジングが、頂壁と、底壁と、前記頂壁と底壁とを互いに接続する側壁と、を備え、前記頂壁、底壁及び側壁が、前記ケージの嵌合端部から延在する内側領域を形成し、
前記キャップは前記頂壁上にあり、前記キャップが、頂壁から上方に延在する側壁と、前記キャップの側壁の端部にあり、かつ前記頂壁から離間配置された上壁と、を備え、前記キャップの側壁と上壁とが、前記内側領域と連通するキー溝を形成し、該キー溝が、前記ケージの嵌合端部から延在し、
前記プラグコネクタのハウジングが、前記ケージの内側領域内に受容され、前記プラグコネクタの突起が、前記ケージのキー溝内に受容される、コネクタ。
【請求項２】
前記キャップが、前記ケージハウジングと一体的に形成されている、請求項１に記載のコネクタ。
【請求項３】
前記キー溝が、３つの異なる面を有するチャネルによって画定され、前記面が平坦である、請求項１に記載のコネクタ。
【請求項４】
前記ケージの嵌合端部及び反対側の端部が、前記ケージの長さを画定し、前記キャップが、前記ケージの長さの一部分に沿って延在する、請求項１に記載のコネクタ。
【請求項５】
前記ケージハウジングの頂壁から延在する複数の偏向可能なバネフィンガと、前記キャップの各側壁から延在する偏向可能なバネフィンガと、前記キャップの上壁から延在する偏向可能なバネフィンガと、を更に備える、請求項１に記載のコネクタ。
【請求項６】
各バネフィンガが、バネ性材料で形成されている、請求項５に記載のコネクタ。
【請求項７】
前記頂壁上のバネフィンガのうちの所定のものが、ブリッジによって互いに接続されている、請求項５に記載のコネクタ。
【請求項８】
前記頂壁上及びキャップ上のバネフィンガが、ブリッジによって互いに接続されている、請求項５に記載のコネクタ。
【請求項９】
前記バネフィンガ及びブリッジ部が、前記ケージとは別個に形成されており、前記ブリッジによってケージに接続されている、請求項８に記載のコネクタ。
【請求項１０】
前記ケージハウジングの側壁及び底壁から延在する複数の偏向可能なバネフィンガを更に備える、請求項５に記載のコネクタ。
【請求項１１】
アセンブリであって、
プラグコネクタのレセプタクルが挿入され得る導電性のケージであって、該ケージが、前記プラグコネクタが挿通される嵌合端部と、反対側の端部とを有し、前記ケージが、ケージハウジング及びキャップを含み、
前記ケージハウジングが、頂壁と、底壁と、前記頂壁と底壁とを互いに接続する側壁と、を備え、前記頂壁、底壁及び側壁が、前記ケージの嵌合端部から延在する内側領域を形成し、
前記キャップは前記頂壁上にあり、前記キャップが、前記頂壁から上方に延在する側壁と、前記キャップの側壁の端部にあり、かつ前記頂壁から離間配置された上壁と、を備え、前記キャップの側壁と上壁とが、前記内側領域と連通するキー溝を形成し、該キー溝が、前記ケージの嵌合端部から延在する、導電性のケージと、
前記ケージハウジングの頂壁から延在する複数の偏向可能なバネフィンガと、前記キャップの各側壁から延在する偏向可能なバネフィンガと、前記キャップの上壁から延在する偏向可能なバネフィンガと、
貫通する開口部と該開口部と連通する切り欠き部とを有する導電性のベゼルであって、前記ケージハウジングが前記ベゼルの開口部に挿通され、前記ケージのキャップが前記ベゼルの切り欠き部に挿通され、前記キャップ上のバネフィンガが、前記開口部及び切り欠き部の縁部に係合し、かつ圧縮される、導電性のベゼルと、を備えるアセンブリ。
【請求項１２】
各バネフィンガが、ばね性材料で形成されている、請求項１１に記載のアセンブリ。
【請求項１３】
前記頂壁上のバネフィンガのうちの所定のものが、ブリッジによって互いに接続されている、請求項１１に記載のアセンブリ。
【請求項１４】
前記頂壁上及びキャップ上のばねフィンガが、ブリッジによって互いに接続されている、請求項１１に記載のアセンブリ。
【請求項１５】
前記バネフィンガ及びブリッジ部が、前記ケージとは別個に形成されており、前記ブリッジによって前記ケージに接続されている、請求項１４に記載のアセンブリ。
【請求項１６】
前記ケージハウジングの側壁及び底壁から延在する複数の偏向可能なバネフィンガを更に備える、請求項１１に記載のアセンブリ。
【請求項１７】
前記ケージハウジングが、前記頂壁上に複数のキャップを有し、該キャップが互いに離間配置されており、前記ベゼルが、前記開口部と連通する複数の切り欠き部を有し、前記ケージハウジングが前記ベゼルの開口部に挿通され、前記ケージのキャップが前記ベゼルのそれぞれの切り欠き部に挿通され、前記キャップ上のバネフィンガが、前記開口部及び切り欠き部の縁部に係合し、圧縮される、請求項１１に記載のアセンブリ。
【請求項１８】
前記ケージハウジングの底壁上の複数の下側キャップであって、各下側キャップが、前記底壁から下方向に延在する下側側壁と、該下側側壁の端部にあり、かつ前記底壁から離間配置された、下壁を備え、各キャップの前記下側側壁及び下壁が、前記内側領域と連通するキー溝を形成し、該キー溝が、前記ケージの嵌合端部から延在する、複数の下側キャップと、
前記開口部と連通するベゼル内の複数の下側切り欠き部であって、前記ケージハウジングが前記ベゼルの開口部に挿通され、前記ケージのキャップが、前記ベゼルのそれぞれの切り欠き部に挿通され、前記キャップ上のバネフィンガが、前記開口部及び切り欠き部の縁部に係合し、かつ圧縮される、複数の下側切り欠き部と、を更に備える、請求項１７に記載のアセンブリ。
【請求項１９】
前記ケージハウジングが、該ケージハウジング内に別個の区画を形成する内壁を更に備え、各区画が、内部にプラグコネクタを受容するように構成されている、請求項１８に記載のアセンブリ。
【請求項２０】
前記ベゼル内のそれぞれの切り欠き部が、前記ケージがベゼルに取り付けられたときに、前記ケージハウジング内のそれぞれの区画と位置整合する、請求項１９に記載のアセンブリ。
【請求項２１】
コネクタであって、
プラグコネクタであって、該プラグコネクタが、ハウジングと、該ハウジングから延在する突起と、前記ハウジング内に取り付けられたパドルカードと、を含む、プラグコネクタと、
該プラグコネクタのレセプタクルが挿入され得る導電性のケージであって、該ケージが、前記プラグコネクタが挿通される嵌合端部と、反対側の端部とを有し、前記ケージが、ケージハウジング及びキャップを含み、前記ケージの嵌合端部及び反対側の端部が、前記ケージの長さを画定し、前記キャップが、前記ケージの長さの一部分に沿って延在する、導電性のケージと、を備え、
前記ケージハウジングが、頂壁と、底壁と、前記頂壁と底壁とを互いに接続する側壁と、を備え、前記頂壁、底壁及び側壁が、前記ケージの嵌合端部から延在する内側領域を形成し、
前記キャップは前記頂壁上にあり、前記キャップが、頂壁から上方に延在する側壁と、前記キャップの側壁の端部にあり、かつ前記頂壁から離間配置された上壁と、を備え、前記キャップの側壁と上壁とが、前記内側領域と連通するキー溝を形成し、前記キー溝が、３つの異なる面を有するチャネルによって画定され、前記キー溝が、前記ケージの嵌合端部から延在し、
前記プラグコネクタのケージハウジングが、前記ケージの内側領域内に受容され、前記プラグコネクタの突起が、前記ケージのキー溝内に受容され、複数の偏向可能なバネフィンガが、前記ケージハウジングの頂壁から延在し、少なくとも１つの偏向可能なバネフィンガが、前記キャップの各側壁から延在し、少なくとも１つの偏向可能なバネフィンガが、前記キャップの上壁から延在する、コネクタ。
【請求項２２】
前記キャップが、前記ケージハウジングと一体的に形成されている、請求項１に記載のコネクタ。
【請求項２３】
各バネフィンガが、バネ性材料で形成されている、請求項５に記載のコネクタ。
【請求項２４】
前記頂壁上のバネフィンガのうちの所定のものが、ブリッジによって互いに接続されている、請求項５に記載のコネクタ。
【請求項２５】
前記頂壁上及びキャップ上のバネフィンガが、ブリッジによって互いに接続されている、請求項５に記載のコネクタ。
【請求項２６】
前記バネフィンガ及びブリッジ部が、前記ケージとは別個に形成されており、前記ブリッジによってケージに接続されている、請求項８に記載のコネクタ。
【発明の詳細な説明】
【技術分野】
【０００１】
関連出願
本出願は、２０１７年１１月２１日に出願された米国特許出願第６２／５８９，３２７号、及び２０１８年２月２２日に出願された米国特許出願第６２／６３３，８１９号の国内の優先権を主張するものであり、それらの両方の内容は、それらの全体が本明細書に組み込まれる。
【０００２】
本開示は、入出力（ＩＯ）コネクタの分野に関し、より具体的には、高いデータレート用途での使用に好適なＩ／Ｏコネクタに関する。
【背景技術】
【０００３】
入出力（ＩＯ）コネクタは、高帯域幅が所望される用途において一般的に使用される。例えば、スモールフォームファクタプラガブル（small form factor pluggable 、ＳＦＰ）型のコネクタは、当初、送信及び受信チャネル（例えば、１×コネクタとして既知のものを証明するため）を提供するために開発され、次第に、ＳＦＰコネクタの性能が向上して、ＳＦＰコネクタは、１６Ｇｂｐｓ及び更には２５＋Ｇｂｐｓチャネルをサポートすることができるようになった。１×コネクタは、特定のニーズには不十分であると迅速に決定され、より多くのチャネルを提供し、かつ４×コネクタとして機能するために、クワッドスモールフォームファクタプラガブル（quad small form factor pluggable、ＱＳＦＰ）型コネクタが開発された。
【０００４】
より大きなサイズのコネクタが開発されてきたが、高密度化は依然として必要とされている。これを達成するために、第２の列のチャネルが現在の構成に追加され、このタイプの（Ｉ／Ｏ）は、一般に、ダブルデンシティとして知られ、ＳＦＰ（ＳＦＰ−ＤＤ）及びＱＳＦＰ（ＱＳＦＰ−ＤＤ）の元の又はレガシー形態因子に適用することができ、したがって、チャネル密度を倍増させる。しかしながら、特定の個人は、このようなプラガブルなコネクタの設計に対する更なる改善を高く評価するであろう。
【０００５】
個々のチャネル内で１６Ｇｂｐｓ、更には２５＋Ｇｂｐｓなどの高められた信号伝達速度をサポートするために、電磁干渉（electromagnetic interference、ＥＭＩ）が発生する機会を最小限に抑えるために、有効なモジュール及びケージ遮蔽システムが必要とされる。モジュール及びケージ遮蔽システムは、典型的には銅又は光ケーブル終端、増幅、リタイミング、選択的フィルタリング、ＥＯ／ＯＥ変換、及び他の同様の機能を含むことができる回路の範囲の封じ込めをサポートする、実質的に閉囲された導電性モジュール内に能動回路及び接触システムを収容することによってＥＭＩを最小限に抑えるために、用いられる。これらの高められた伝送速度で動作する回路は、非常にエネルギッシュであり、ＥＭＩを発生させることができると考えられる。
【発明の概要】
【０００６】
プラグコネクタ及び導電性ケージを含むアセンブリ。プラグコネクタは、ハウジングと、ハウジングから延在する突起と、ハウジング内に取り付けられたパドルカードと、を含む。ケージは、内側領域を形成するケージハウジングと、キー溝を形成する少なくとも１つのキャップと、を含む。キー溝は、概して、３つの異なる面を有するチャネルとして形成される。プラグコネクタのハウジングが、ケージの内側領域内に受容されており、プラグコネクタの突起が、ケージのキー溝内に受容されている。ケージは、導電性ベゼルと係着する複数のバネフィンガを内部に含んでもよい。ケージは、プラグコネクタのＥＭＩシールドを提供する。
【図面の簡単な説明】
【０００７】
本発明は、例として図示されるが、添付図面に限定されるものではなく、図中、同様の符号は同様の要素を示す。
【０００８】
【図１】入出力コネクタの一部を形成するケージの実施形態の斜視図である。
【図２】入出力コネクタの一部を形成するプラグコネクタの実施形態の斜視図である。
【図３】ケージの分解斜視図である。
【図４】ケージの上面図である。
【図５】ケージのキャップの様々な形状を示す端部立面図である。
【図６】ケージのキャップの様々な形状を示す端部立面図である。
【図７】ケージのキャップの様々な形状を示す端部立面図である。
【図８】ケージのキャップの様々な形状を示す端部立面図である。
【図９】ケージのキャップの様々な形状を示す端部立面図である。
【図１０】ケージが内部に装着されたベゼルの実施形態の斜視図である。
【図１１】ベゼル及びケージの正面立面図である。
【図１２】内部に装着されたケージの実施形態を有するベゼルの別の実施形態の斜視図である。
【図１３】図１２に示されるベゼル及びケージの正面立面図である。
【発明を実施するための形態】
【０００９】
以下の詳細な説明は、例示的な実施形態を説明し、開示される特徴は、明示的に開示された組み合わせ（複数可）に限定されることを意図するものではない。したがって、特に明記しない限り、本明細書で開示される特徴は、簡潔にするために別に示されていない追加の組み合わせを形成するために、一緒に組み合わされてもよい。
【００１０】
このような電磁放射線を最小限に抑える一実施形態は、遮蔽されたモジュール又はプラグコネクタ２２が挿入される導電性ケージ２０を含む入出力コネクタであり、遮蔽された導電性プラグコネクタ２２は、主要な電磁閉じ込めを形成し、ケージ２０はシールドされたプラグコネクタ２２の周囲に導電性スリーブを形成する。ケージ２０及びプラグコネクタ２２は、入れ子式セクションの遠位範囲に向かって嵌合コネクタ（図示せず）を収容することができる入れ子式アセンブリを形成する。このようにして、任意の露出した接点を、入れ子式構造体内にほぼ凹設することができる。遮蔽プラグコネクタ２２と周囲の導電性ケージ２０との間に形成された最大横方向間隙は、カットオフ未満の周波数で動作するときに、関連するフィルタリング能力を有する導波路開口部を確立する。プラグコネクタ２２が導電性ケージ２０内に設置されていることによって入れ子式セクションの陥没部が形成されるとき、取り付け方向で、横方向の間隙に長さが追加される。導波路の長さと制限横断間隙とを組み合わせて、カットオフ未満で動作するときに電磁干渉（ＥＭＩ）フィルタを形成する。これにより、プラグコネクタ閉じ込めの完全性と、導電性ケージ２０内のプラグコネクタ２２の入れ子式動作によって確立された有効導波路フィルタの形成と、を維持することによって、高速性能の向上を確立する。
【００１１】
レガシーＳＦＰ＋ケーブルソリューションは、長年にわたってデジタル世界の接続ソリューションとして広く使用されてきた。レガシーＳＦＰの同じフォームファクタを利用して、より多くの接続を提供するために、チャネルの量の２倍又は更には複数倍に対する、分野からの必要性が存在する。このようにして、顧客は、既存のフォームファクタを有する既存のシステムを、新しいレベルの能力に活用することができる。より広い帯域幅に対する需要の増加に伴い、ＳＦＰなどに対するソリューションは、既存のレガシーフレームワークに複数のチャネル列を追加することによって、同じフォームファクタで全体帯域幅を２倍にすることができる、ダブルデンシティ（double density、ＤＤ）ソリューションである。これにより、ＳＦＰ−ＤＤコネクタ及びケージ２０で作動するレガシーＳＦＰ＋モジュールが可能になる。
【００１２】
図１、図３、及び図４に示されるように、ケージ２０は、頂壁２８と、頂壁２８から下方に垂れ下がる側壁３０、３２と、側壁３０、３２の下端に接続された底壁３４と、を有するケージハウジング２６を含む。壁２８、３０、３２、３４は、ケージハウジング２６の前部に嵌合端部４２を画定する前部開口部３８を通してアクセスされる内側領域３６を形成する。ケージハウジング２６の後端部４０は、前部開口部３８と反対側にある。ケージハウジング２６の長さは、ケージハウジングの前部開口部３８と後端部４０との間に画定される。ケージハウジング２６は、プリント回路基板（図示せず）上に置かれてもよい。ケージ２０は、スタンピング及び成形によって形成され得る。
【００１３】
図２に示されるように、ケージ２２は、頂壁４６と、頂壁４６から下方に垂れ下がる側壁４８、５０と、側壁４８、５０の下端部に接続された底壁５２と、を有するハウジング４４を含む。ハウジング４４は、前面５４及び反対側の後面５６を画定する。後面５６は、ケーブル入口５８を画定する。ハウジング４４は、限定されないが、ダイカスト、成形、及び／又は機械加工などの様々な方法で形成することができる。プラグコネクタ２２のハウジング４４は、プラグコネクタ２２がケージ２０内の相手方コネクタと嵌合することができるように、ケージ２０のケージハウジング２６の内側領域３６内に着座するように成形されている。パドルカード６０は、頂壁４６と底壁５２との間に位置決めされており、底壁５２に向かってオフセットされ得る。パドルカード６０は前面５４の前方に延在する。ダブルデンシティ構成では、パドルカード６０は、嵌合方向に沿って互いに隣接して位置決めされた２列の接触パッドを含む。１つ以上のフランジは、前面５４から前方に延在することができ、パドルカード６０の保護を提供するのに役立ち得る。
【００１４】
実施形態では、嵌合コネクタ（図示せず）は、並列配置で配置され、かつ絶縁フレームによって支持された、複数のウェハを含む。相手方コネクタのフレームは、プラグコネクタ２２がケージ２０内の相手方コネクタと嵌合することができるように、ケージ２０のケージハウジング２６の内側領域３６内に着座するように成形されている。ウェハは、嵌合方向に沿って離間配置された２列の端子を含み、これらの端子の各々は、パドルカード上に形成されたそれぞれの接触パッドと係着する。接点の各列は、パドルカードの上面及び底面上で接触パッドに係着する端子を含む。
【００１５】
ケージ２０及びプラグコネクタ２２は、プラグコネクタ２２がケージ２０に挿入されたときにプラグコネクタ２２の適切な配向を確実にするキーイングシステムを含む。キーイングシステムは、少なくとも１つのキャップ６４であって、キャップ６４がケージハウジング２６の一部を形成するように、ケージ２０のケージハウジング２６の頂壁２８と一体的に形成された少なくとも１つのキャップ６４と、ケージ２０内へのプラグコネクタ２２の嵌合方向に直交して、プラグコネクタ２２のハウジング４４の頂壁４６から延在する、少なくとも１つのせり上げ突起６６と、を含む。
【００１６】
キャップ６４は、ハウジング４４の頂壁２８から上方に延在し、嵌合端部４２から後方に延在するキー溝６８を内部に形成する。キー溝は、概して、３つの異なる面を有するチャネルとして形成される。この面は、好ましくは平坦であるが湾曲した面も想到される。キー溝６８は、内側領域３６とキー溝６８とが互いに連通するように、内側領域３６に開放している。キャップ６４は、第１側壁７０と、第１側壁７０から離間配置された第２の側壁７２と、側壁７０、７２の後端部にある端壁７４と、壁７０、７２、７４の上端部にある上壁７６と、から形成される。壁７０、７２、７４、７６は、ハウジング４４の嵌合端部４２から後方に延在するキー溝６８を形成する。第１の側壁７０は、頂壁２８に接続された下端部を有し、頂壁２８から上端部まで上方に突出している。第１の側壁７０の前端部は、ハウジング４４の嵌合端部４２にあり、後端部は前端部の後方にある。第２の側壁７２は、頂壁２８に接続された下端部を有し、頂壁２８から上端部まで上方に突出している。第２の側壁７２の前端部は、ハウジング４４の嵌合端部４２にあり、後端部は前端部の後方にある。実施形態では、後端部は互いに位置整合されている。端壁７４は、頂壁２８に接続された下端部を有し、頂壁２８から上端部まで上方に突出している。上壁７６は、上壁７６が頂壁２８から離間配置されるように壁７０、７２、７４の上端部間に延在する。実施形態では、各壁７０、７２、７４、７６は平坦である。
【００１７】
ここに記載されるように、キャップ６４は、頂壁２８と一体的に形成されるが、ある実施形態では、キャップ６４は、ケージハウジング２６とは別個に形成されており、頂壁２８は、キャップ６４が上に位置決めされた、頂壁２８中にわたって形成された長尺のスロット（図示せず）を有し、キャップ６４は、例えば、実効的にキャップ６４がケージハウジング２６と一体になるように、溶接によって頂壁２８に恒久的に取り付けられている。
【００１８】
前述したように、キー溝６８の断面形状は、嵌合端部４２から見たときに概して３面を有するが、多様な形状をとり得る。ある実施形態では、図５及び図６に示されるように、嵌合端部４２から見たときのキー溝６８は、矩形などの四辺形である。図５に示されるように、頂壁２８及び上壁７６は互いに平行であり、側壁７０、７２は、キー溝６８の断面形状が嵌合端部４２から見たときに矩形であるように、頂壁２８及び上壁７６に対して垂直である。図６に示されるように、頂壁２８及び上壁７６は互いに平行であり、側壁７０、７２は、キー溝６８の断面形状が嵌合端部４２から見たときに不規則な３面セクションであるように、頂壁２８及び上壁７６に対して角度をなし、かつ互いに向かって内側に角度をなす。この実施形態では、面は同じ内向きの角度で示されているが、異なる角度及び異なる角度の組み合わせを有する面が想到される。別の例では、一方の面のみが角度をなしてもよく、他方の面は、頂壁及び上壁に対して垂直である。ある実施形態では、図７に示されるように、キー溝６８の断面形状を嵌合端部４２から見たときに、壁７０、７２、７６は弓状の形状を形成するように配置され得る。この例では、キー溝は単一の壁によって画定されてもよい。ある実施形態では、図８に示されるように、キー溝６８の断面形状を嵌合端部４２から見たときに、壁７０、７２、７６は「Ｔ」形状を形成するように配置され得る。ある実施形態では、図９に示されるように、壁７０、７２、７６は、キー溝６８の断面形状を嵌合端部４２から見たときに、反転された「Ｌ」形状を形成するように配置され得る。キー溝６８のいくつかの形状が本明細書に記載されているが、他の形状も本開示の範囲内である。キー溝の形状を画定するチャネル部分は、複数の壁によって画定されてもよい。例えば、三角形のキー溝は、２つの壁によって画定され、４つ以上の壁は、多様な形状の断面を画定してもよい。
【００１９】
ある実施形態では、キャップ６４は、図４に示されるように、端壁７４がケージハウジング２６の後端部４０から離間配置されるように、ケージハウジング２６の長さの一部分に沿って延在する。ある実施形態では、キャップ６４は、端壁７４がケージハウジング２６の後端部４０にあるように、ケージハウジング２６の全長に沿って延在する。
【００２０】
図示のように、キー溝６８を形成するキャップ６４は、頂壁２８の中点の一方側に横ずれして位置決めされている。キャップ６４は、頂壁２８の中点に位置決めされてもよく、又は頂壁２８の中点の他方側に横ずれして位置決めされてもよい。あるいは、キー溝６８を形成する複数のキャップ６４が、頂壁２８に設けられてもよい。キー溝６８を形成する複数のキャップ６４が設けられる場合、キー溝６８は、異なる断面形状を有してもよい。
【００２１】
突起６６は、プラグコネクタ２２のハウジング４４の頂壁４６から、前面５４の後方の距離で延在する。突起６６は、突起６６が挿入されるキー溝６８に対応する形状を有し、突起６６が挿入されるキー溝６８に対応する位置に、頂壁４６上に位置決めされている。この構成により、プラグコネクタ２２の適切な配向が、プラグコネクタ２２が嵌合レセプタクルに適切に接続され得るように維持される。２つ以上のキー溝６８が設けられる場合、２つ以上の突起６６が設けられ、それぞれの突起６６はそれぞれのキー溝６８に形状が対応する。
【００２２】
プラグコネクタ２２は、前部開口部３８を通してケージ２０に挿入される。プラグコネクタ２２がケージ２０への挿入に対して適切に配向されると、突起６６はキー溝６８と位置整合する（又は複数の突起６６は、設けられる場合、複数のキー溝６８と位置整合する）。プラグコネクタ２２がケージ２０の内側領域３６に挿入される際に、突起（複数可）６６はキー溝（複数可）６８に沿って摺動する。キー溝６８は、適切な嵌合を確保するために、プラグコネクタ２２をケージ２０に適切に位置整合する経路を提供する。プラグコネクタ２２は、ケージ２０内の嵌合レセプタクルに接続する。
【００２３】
突起６６及びキー溝６８は、顧客システムに損傷を与える可能性がある、不適切に挿入されたＳＦＰ−ＤＤモジュールがレガシーＳＦＰ＋ケージ２０及びコネクタに挿入されることに対する、失敗防止キーイングソリューションを提供する。本開示の態様では、キーイング構成は、レガシーＳＦＰモジュールがＳＦＰ−ＤＤコネクタ及びケージで作動することを可能にする。
【００２４】
ある実施形態では、ケージハウジング２６は、頂壁２８とケージハウジング２６の嵌合端部４２に近接するキャップ６４とに取り付けられた上側ベゼルガスケット７８と、ケージハウジング２６の嵌合端部４２に近接して第１の側壁３０に取り付けられた第１の側壁ベゼルガスケット８０と、ケージハウジング２６の嵌合端部４２に近接して第２の側壁３２に取り付けられた第２の側壁ベゼルガスケット８２と、ケージハウジング２６の嵌合端部４２に近接して底壁３４に取り付けられた下側ベゼルガスケット８４と、を更に有する。
【００２５】
上側ベゼルガスケット７８は、ブリッジ１００で互いに接続された前端部を有する複数の偏向可能なバネフィンガ８６、８８、９０、９２、９４、９６、９８を有する。上側ベゼルガスケット７８は、バネ性材料で形成されてもよい。ブリッジ１００は、ケージハウジング２６の嵌合端部４２に近接する、溶接などの好適な手段によって、ケージハウジング２６に装着される。バネフィンガ８６、８８、９０、９８は、ケージハウジング２６の頂壁２８に近接し、頂壁２８の長さの一部分に沿って延在する。バネフィンガ９２は、キャップ６４の第１の側壁７０に近接し、第１の側壁７０の長さの一部に沿って延在し、バネフィンガ９４は、キャップ６４の上壁７６に近接し、上壁７６の長さの一部分に沿って延在し、バネフィンガ９６は、キャップ６４の第２の側壁７２に近接し、第２の側壁７２の長さの一部分に沿って延在する。４つのバネフィンガ８６、８８、９０、９８は頂壁２８上に示されているが、これは単なる例であり、４つを超える又は４つ未満のバネフィンガが設けられてもよい。加えて、キャップ６４の一方側に３つのバネフィンガ８６、８８、９０が示され、かつキャップ６４の他方側に１つのバネフィンガ９８が示されているが、より多い又はより少ないバネフィンガがキャップ６４のいずれかの側に設けられてもよい。更に、キャップ６４の各壁７０、７２、７４上に、２つ以上のバネフィンガ９２、９４、９６が設けられてもよい。
【００２６】
側部及び下側ベゼルガスケット８０、８２、８４の各々は、ブリッジ１０４で互いに接続された前端部を有する複数の偏向可能なバネフィンガ１０２を有する。各ベゼルガスケット８０、８２、８４は、バネ性材料で形成されてもよい。ブリッジ１０４は、ケージハウジング２６の嵌合端部４２に近接する、溶接などの好適な手段によって、ケージハウジング２６に装着される。各バネフィンガ１０２は、それぞれの壁３０、３２、３４の長さの一部分に沿って延在する。側部及び下側ベゼルガスケット８０、８２、８４は単一の部材として示されているが、側部及び下側ベゼルガスケット８０、８２、８４は、個々に形成され、ケージハウジング２６に取り付けられ得る。
【００２７】
ここに記載されるように、キャップ６４は、頂壁２８と一体的に形成されるが、ある実施形態では、キャップ６４は、ケージハウジング２６とは別個に形成されており、頂壁２８は、キャップ６４が上に位置決めされた、頂壁２８中にわたって形成された長尺のスロット（図示せず）を有し、キャップ６４は、例えば、実効的にキャップ６４がケージハウジング２６と一体になるように、溶接によって頂壁２８に恒久的に取り付けられている。この実施形態では、ケージハウジング２６の上壁２８上に着座したバネフィンガ８６、８８、９０、９８は、別個に形成されたキャップ６４と一体的に形成され、別個に形成されたキャップ６４で上壁２８に固定されてもよい。キャップ６４上のバネフィンガ９２、９４、９６は、頂壁２８上に着座したバネフィンガ８６、８８、９０、９８と一体的に形成されているものとして説明されているが、キャップ６４上のバネフィンガ９２、９４、９６は、頂壁２８上に着座し、かつキャップ６４に別個に取り付けられたバネフィンガ８６、８８、９０、９８とは別個に形成され得る。
【００２８】
ある実施形態では、各バネフィンガ８６〜９８及び１０２は、縁部の上に折り畳まれ、１８２度に形成された縁部を生成する。この方法では過剰な材料が使用されるが、プラグコネクタ２２上に形成された突起６６の導入を提供することによって利点が得られる。代替的な構成では、バネフィンガ８６〜９８及び１０２は、通常溶接によってケージハウジング２６に固定される別個の部品として形成される。
【００２９】
図１０及び図１１に示されるような実施形態では、ケージ２０は、導電性ベゼル１０６に装着される。ベゼル１０６は、ケージ２０のケージハウジング２６の形状をミラー反転したＩ／Ｏポート開口部１０８と、キャップ６４の形状をミラー反転した切り欠き部１１０と、を有する。切り欠き部１１０は、開口部１０８と切り欠き部１１０とが互いに連通するように、開口部１０８に開放している。適切な嵌合を確保するために、間隙は、ケージ２０のキャップ６４の輪郭と壁２８、３０、３２、３４の外周との周りに維持され、それによってケージ２０とベゼル１０６との間に隙間が設けられる。バネフィンガ８６、８８、９０、１０２は、ベゼル１０６の開口部１０８の縁部に係合し、かつ縁部によって圧縮されて追加の封止を提供し、バネフィンガ９２、９４、９６は、ベゼル１０６の切り欠き部１１０の縁部に係合し、かつ縁部によって圧縮されて、追加の封止を提供する。ベゼル１０６内の切り欠き部１１０から生成された間隙は、ベゼル１０６へのケージ２０の挿入方向に対して概して直交し、それにより、バネフィンガ８６〜９８及び１０２が偏向されると、ケージ２０とベゼル１０６との間に効率的な封止が生成される。
【００３０】
図１２及び図１３に示されるような実施形態では、ケージ２０は、内部領域３６を複数の区画１２０に分離する複数の内壁１１６、１１８を有し、区画１２０内に、プラグコネクタ２２を各区画１２０内へと挿入することができる。図示のように、頂壁２８は、それぞれの区画１２０と区画１２０上の関連するバネフィンガ８６〜９８とに対して開放しているキー溝６８を形成する複数のキャップ６４を有し、キャップ６４は互いに離間配置されており、底壁３４は、それぞれの区画１２０と区画１２０上の関連するバネフィンガ８６〜９８とに開放しているキー溝６８を形成する複数のキャップ６４を有し、キャップ６４は互いに離間配置されている。底壁３４上のキャップ６４は、側壁７０、７２が底壁３４から下方に延在し、かつ壁７６が各キャップ６４の下壁を形成することを除き、頂壁２８上のキャップ６４に同一に形成されている。ケージ２０は、導電性ベゼル１２２に取り付けられている。ベゼル１２２は、ケージ２０のケージハウジング２６の形状をミラー反転したＩ／Ｏポート開口部１２６と、それぞれのキャップ６４の形状をミラー反転した複数の切り欠き部１２８と、を有する。各区画１２０は、関連付けられた切り欠き部１２８を有する。適切な嵌合を確保するために、間隙は、ケージ２０のキャップ６４の輪郭と壁２８、３０、３２、３４の外周との周りに維持され、それによってケージ２０とベゼル１２２との間に隙間が設けられる。バネフィンガ８６、８８、９０、１０２は、ベゼル１２２の開口部１２６の縁部に係合し、かつ縁部によって圧縮されて追加の封止を提供し、バネフィンガ９２、９４、９６は、ベゼル１２２のそれぞれの切り欠き部１２８の縁部に係合し、かつ縁部によって圧縮されて、追加の封止を提供する。ベゼル１２２内の切り欠き部１２８から生成された間隙は、ベゼル１２２へのケージ２０の挿入方向に対して概して直交し、それにより、バネフィンガ８６〜９８及び１０２が偏向されると、ケージ２０とベゼル１２２との間に効率的な封止が生成される。典型的には、この配置の区画１２０は、ベリートゥベリー配向で位置決めされるが、積み重ねられた垂直に位置整合した配置で配置されてもよい。複数の列配置がまた、長手方向に配置され、線状アレイを形成してもよい。ある意味では、配置は「Ｍ×Ｎ」配向に従い、ここで、Ｍは積み重ねられた区画の数であり、Ｎは、積み重ねられた区画の縦列の数である。一群の配置では、ベゼルガスケット７８、８０、８２、８４は、長手方向に沿って区画１２０の全てに対してＥＭＩシールを提供する。
【００３１】
導電性ケージ２０は、導電性ベゼル１０６、１２０とプラグコネクタ２２との間に接地シールを提供する。これにより、ベゼル１０６、１２２への接地経路を提供し、かつＩ／Ｏポート開口部１０８、１２６の封止を提供する、低インピーダンス及び低漏れ封止が提供され、プラグコネクタ２２を設置されたケージ２０に差し込むことが可能になる。
【００３２】
追加のＥＭＩシールドは、完全に封止されなくてもよい角部及び縁部の開口部の周囲に使用することができる。これらの例では、導電性特性を有するように形成された適合性又はエラストマー材料を、漏れの領域内に配置することができる。これらの二次ガスケットとしては、導電性発泡体、柔軟なワイヤ編組、毛羽ボタン、及び導電性ウィスカーなどを挙げることができる。これらの二次ガスケットは、典型的には、ベゼル１０６、１２２へのケージ２０の組み立て中に、ケージ２０とベゼル１０６、１２２との間と、更にはキャップ６４上のケージ２０とバネフィンガ９２、９４、９６との間の空隙又は隙間間隙を充填して、任意の間隙を更に封止する。また、空気硬化性膨張性導電性材料又は発泡体などの、投入された導電性材料が、ケージ２０とベゼル１０６、１２２との嵌合後に、間隙に適用され得ることも想到される。全ての封止構造において、ケージ２０とベゼル１０６、１２２との間の間隙内又は間隙の付近に位置決めされた材料は、弾力を有し、かつケージ２０からのプラグコネクタ２２の挿入及び引き抜きの間の振動及び摩耗に起因する間欠的な電気的接続を防止するために弾性を維持しなければならない。
【００３３】
バネフィンガ及びベゼル１０６、１２２によって提供される強化された接地特徴部、並びにベゼル１０６、１２０にほぼ隣接する接地を有するキー溝６８の両方を含むことは、ＥＭＩ閉じ込めを維持すること、並びに、識別情報をキーイングするケージ２０にプラグコネクタ２２を提供することが可能である。
【００３４】
本明細書で提供される開示は、その好ましい実施形態及び例示的な実施形態の観点から特徴を説明する。当業者には、添付の特許請求の範囲及び趣旨内での修正及び変形が、本開示を検討することにより想起されるであろう。
【図１】
2021503162.tif 000003
【図２】
2021503162.tif 000004
【図３】
2021503162.tif 000005
【図４】
2021503162.tif 000006
【図５】
2021503162.tif 000007
【図６】
2021503162.tif 000008
【図７】
2021503162.tif 000009
【図８】
2021503162.tif 000010
【図９】
2021503162.tif 000011
【図１０】
2021503162.tif 000012
【図１１】
2021503162.tif 000013
【図１２】
2021503162.tif 000014
【図１３】
2021503162.tif 000015
【国際調査報告】
2021503162.tif 000016
2021503162.tif 000017
2021503162.tif 000018